(57)【要約】【課題】風呂水を浄水化するためのユニットを備えるために必要なスペースを極力抑えることができる洗濯機を提供する。【解決手段】本実施形態に係る洗濯機は、洗濯機本体と、前記洗濯機本体に設けられ、吸水ホースを通して風呂水を吸水する風呂水ポンプと、前記吸水ホースと前記風呂水ポンプとの間に設けられ、前記風呂水ポンプにより吸い込まれる風呂水に紫外線を照射する紫外線照射ユニットと、を備え、前記紫外線照射ユニットは、前記洗濯機本体に着脱可能である。【選択図】図１
2016073533.tif 000002
【特許請求の範囲】
【請求項１】
洗濯機本体と、
前記洗濯機本体に設けられ、吸水ホースを通して風呂水を吸水する風呂水ポンプと、
前記吸水ホースと前記風呂水ポンプとの間に設けられ、前記風呂水ポンプにより吸い込まれる風呂水に紫外線を照射する紫外線照射ユニットと、
を備え、
前記紫外線照射ユニットは、前記洗濯機本体に着脱可能である洗濯機。
【請求項２】
前記洗濯機本体内に設けられ、前記紫外線照射ユニットに電力を供給する電力供給部をさらに備える請求項１に記載の洗濯機。
【請求項３】
前記風呂水ポンプの駆動と前記紫外線照射ユニットの駆動を連動させる連動制御を実行する連動制御手段をさらに備える請求項１または２に記載の洗濯機。
【請求項４】
前記連動制御手段による前記連動制御は、前記風呂水ポンプの駆動開始から所定時間経過後に前記紫外線照射ユニットの駆動を開始する制御である請求項３に記載の洗濯機。
【請求項５】
水を検知する水検知手段を前記紫外線照射ユニットに備えており、
前記連動制御手段による前記連動制御は、前記風呂水ポンプの駆動開始後において前記水検知手段により水が検知されると前記紫外線照射ユニットの駆動を開始する制御である請求項３に記載の洗濯機。
【請求項６】
前記洗濯機本体内に設けられた水槽と、
前記水槽内の水の水位を検知する水位検知手段と、を備えており、
前記連動制御手段による前記連動制御は、前記風呂水ポンプの駆動開始後において前記水位検知手段により所定水位が検知されると前記紫外線照射ユニットの駆動を開始する制御である請求項３に記載の洗濯機。
【発明の詳細な説明】
【技術分野】
【０００１】
本実施形態は、洗濯機に関する。
【背景技術】
【０００２】
洗濯機においては、節水などの目的により、水道とは別の水源である風呂水を使用する場合がある。この場合、風呂水は、洗濯機本体に設けられた風呂水ポンプにより吸い上げられて槽内に供給される。ところで、風呂水は、既に入浴により使用した水であることから雑菌や異物が含まれることが懸念される。そのため、風呂水を浄水化するための種々のユニットが考えられている。例えば特許文献１には、濾過装置と、紫外線ランプを有する除菌装置とを備えるユニットが開示されている。
【０００３】
しかしながら、特許文献１のユニットは、濾過装置および除菌装置という２つの装置を備える構成であることから、ユニット全体としての大型化や重量化を避けられない。そのため、このユニットは、洗濯機の近傍において床面に設置して使用するものとなっている。ところが、一般的な家庭において洗濯機の近傍の床面に、このようなユニットを設置するためのスペースを確保することは困難である。
【先行技術文献】
【特許文献】
【０００４】
【特許文献１】特開２０１３−８１７３３号公報
【発明の概要】
【発明が解決しようとする課題】
【０００５】
本実施形態は、風呂水を浄水化するためのユニットを備えるために必要なスペースを極力抑えることができる洗濯機を提供する。
【課題を解決するための手段】
【０００６】
本実施形態に係る洗濯機は、洗濯機本体と、風呂水ポンプと、紫外線照射ユニットと、を備える。風呂水ポンプは、洗濯機本体に設けられ、吸水ホースを通して風呂水を吸水する。紫外線照射ユニットは、吸水ホースと風呂水ポンプとの間に設けられ、風呂水ポンプにより吸い込まれる風呂水に紫外線を照射する。そして、紫外線照射ユニットは、洗濯機本体に着脱可能である。
【図面の簡単な説明】
【０００７】
【図１】第１実施形態に係る洗濯機の構成例を概略的に示す縦断面図
【図２】紫外線照射ユニットが取り外された状態を示す洗濯機の斜視図
【図３】紫外線照射ユニットが取り付けられた状態を示す洗濯機の斜視図
【図４】洗濯機による風呂水の給水動作の一例を示すフローチャート
【図５】第２実施形態に係る洗濯機の構成例を概略的に示す縦断面図
【図６】洗濯機による風呂水の給水動作の一例を示すフローチャート
【図７】第３実施形態に係る洗濯機の構成例を概略的に示す縦断面図
【図８】洗濯機による風呂水の給水動作の一例を示すフローチャート
【図９】第４実施形態に係る洗濯機の構成例を概略的に示す縦断面図
【図１０】紫外線照射ユニットが取り外された状態を示す洗濯機の斜視図
【発明を実施するための形態】
【０００８】
以下、洗濯機に係る複数の実施形態について図面を参照しながら説明する。なお、各実施形態で実質的に同一の要素には同一の符号を付し、説明を省略する。
（第１実施形態）
図１に例示する洗濯機１０は、いわゆる縦軸型の全自動洗濯機であり、その外殻を構成する洗濯機本体１１の内部に、水槽１２、給水弁１３、風呂水ポンプ１４、注水ケース１５などを備える。水槽１２は、上部が開放した有底円筒状をなしており、図示しない弾性吊持機構により洗濯機本体１１に弾性的に支持されている。この水槽１２の内部には、図示しない有底円筒状の回転槽が回転可能に配設されている。また、水槽１２の外底部には、駆動部１６が設けられている。この駆動部１６は、モータおよびクラッチ機構を有しており、回転槽内の底部に設けられた図示しないパルセータのみを回転させる状態と、回転槽およびパルセータを一体的に回転させる状態とに切り換え可能な構成となっている。
【０００９】
給水弁１３は、水道水の流入口となる水道水流入口１３ａおよび水道水の流出口となる水道水流出口１３ｂを有する。図２に示すように、水道水流入口１３ａは、洗濯機本体１１の上面後部を構成するバックカバー１７の孔部１７ａに挿通されており、バックカバー１７の上面から上方に向かって突出している。水道水流入口１３ａには、水道の蛇口に接続された機外給水ホース１８の先端部１８ａが水密に接続される。水道水流出口１３ｂは、注水ケース１５の水道水流入口１５ａに水密に接続されている。なお、給水弁１３は、水道水流入口１３ａから流入する水道水を呼び水として風呂水ポンプ１４に供給するための図示しない呼び水流出口を備える。そして、給水弁１３は、水道水流入口１３ａから流入する水道水を水道水流出口１３ｂから流出する状態と、呼び水流出口から流出する状態とに切り換え可能となっている。
【００１０】
風呂水ポンプ１４は、風呂水の流入口となる風呂水流入口１４ａおよび風呂水の流出口となる風呂水流出口１４ｂを有する。風呂水流入口１４ａは、バックカバー１７の孔部１７ｂ内において、上方に向かって設けられている。なお、風呂水流入口１４ａは、その先端部がバックカバー１７よりも低くなっており、従って、バックカバー１７の上面から突出していない。風呂水流出口１４ｂは、注水ケース１５の風呂水流入口１５ｂに水密に接続されている。また、風呂水ポンプ１４は、呼び水の流入口となる図示しない呼び水流入口を備える。この呼び水流入口には、給水弁１３の呼び水流出口が水密に接続されており、当該呼び水流出口からの呼び水が流入するようになっている。
【００１１】
注水ケース１５は、水槽１２内に対向する図示しない給水口を備える。注水ケース１５は、給水弁１３から流入する水道水あるいは風呂水ポンプ１４から流入する風呂水を給水口から水槽１２内に供給する。風呂水ポンプ１４は、基本的には、その風呂水流入口１４ａに吸水ホース１９の一端部が接続され、且つ、当該吸水ホース１９の他端部が浴槽Ｂ内に投入された状態で駆動されることにより、吸水ホース１９を通して浴槽Ｂ内の風呂水を吸引して注水ケース１５に供給するものである。しかし、本実施形態では、吸水ホース１９の一端部が風呂水ポンプ１４の風呂水流入口１４ａに直接的に接続される構成ではなく、吸水ホース１９と風呂水ポンプ１４との間に紫外線照射ユニット１００を介在させる構成となっている。この紫外線照射ユニット１００の構成については後述する。
【００１２】
洗濯機１０は、当該洗濯機１０の動作全般を制御する制御装置２１を備える。この制御装置２１は、制御プログラムを実行することにより連動制御部２２をソフトウェアにより仮想的に実現する。連動制御部２２は、連動制御手段の一例であり、風呂水ポンプ１４の駆動と紫外線照射ユニット１００の駆動を連動させる連動制御を実行する。なお、連動制御部２２は、ハードウェアにより構成してもよい。
【００１３】
次に、紫外線照射ユニット１００の構成について説明する。即ち、紫外線照射ユニット１００は、洗濯機本体１１に着脱可能に構成されるものであり、風呂水の流入口となる風呂水流入口１０１および風呂水の流出口となる風呂水流出口１０２を有する。風呂水流入口１０１は、この場合、紫外線照射ユニット１００の上部に設けられている。風呂水流入口１０１には、吸水ホース１９の一端部が水密に接続される。また、風呂水流出口１０２は、この場合、紫外線照射ユニット１００の下部に設けられている。紫外線照射ユニット１００が洗濯機本体１１に取り付けられることに伴い、この風呂水流出口１０２には、風呂水ポンプ１４の風呂水流入口１４ａが水密に接続されるようになっている。紫外線照射ユニット１００は、風呂水流入口１０１と風呂水流出口１０２との間に図示しない通水経路を有する。そして、紫外線照射ユニット１００は、この通水経路内を流れる風呂水に紫外線を照射する紫外線ランプ１０３を備える。
【００１４】
また、図２に示すように、紫外線照射ユニット１００は、その下部の縁部に延出壁部１０４を有する。延出壁部１０４は、紫外線照射ユニット１００の底部から下方に向かって延出しており、紫外線照射ユニット１００の長手方向に沿う長辺部１０４ａと紫外線照射ユニット１００の短手方向に沿う短辺部１０４ｂを有する。この場合、長辺部１０４ａと短辺部１０４ｂは、互いに直角となるように連結された構成となっている。また、長辺部１０４ａには、内側に向かって突出する爪部１０４ｃが設けられており、短辺部１０４ｂには、内側に向かって突出する爪部１０４ｄが設けられている。
【００１５】
また、紫外線照射ユニット１００は、その側面、この場合、短辺部１０４ｂとは反対側の側面の下部に共締め片部１０５を有する。共締め片部１０５は、紫外線照射ユニット１００の側面から横方向に向かって延出する板状の形状をなしている。また、共締め片部１０５は、その先端部が半円状に形成されている。また、共締め片部１０５は、当該共締め片部１０５を貫通する貫通孔１０５ａを有している。
【００１６】
紫外線照射ユニット１００が洗濯機本体１１に取り付けられる際には、爪部１０４ｃが洗濯機本体１１の背面に設けられた係止孔１１ａに係止され、爪部１０４ｄが洗濯機本体１１の側面に設けられた係止孔１１ｂに係止される。また、共締め片部１０５の貫通孔１０５ａに給水弁１３の水道水流入口１３ａが挿通され、この状態で、当該水道水流入口１３ａの先端部に機外給水ホース１８の先端部１８ａが接続される。このようにして、図３に示すように、紫外線照射ユニット１００は、洗濯機本体１１に着脱可能に装着される。
【００１７】
また、紫外線照射ユニット１００は、洗濯機本体１１内に設けられた電源ユニット３１から電力が供給される構成である。電源ユニット３１は、電力供給部の一例であり、洗濯機１０の給水弁１３、風呂水ポンプ１４、駆動部１６などといった各種の電気的な構成要素を動作させるための電力を供給するものである。この場合、紫外線照射ユニット１００と電源ユニット３１との電気的な接続は、紫外線照射ユニット１００から延びるコネクタ１０６と電源ユニット３１から延びるコネクタ３２とを洗濯機本体１１の外部において有線により接続する構成である。
【００１８】
また、洗濯機本体１１内の制御装置２１は、これらコネクタ３２，１０６からなる電源ラインを介して、紫外線照射ユニット１００との間で各種通信を行うように構成されている。この電源ラインを介して通信される信号には、制御装置２１から紫外線照射ユニット１００に与えられる動作制御信号が含まれる。紫外線照射ユニット１００は、制御装置２１から与えられる動作制御信号に基づいて紫外線ランプ１０３のオン／オフを制御するようになっている。
【００１９】
次に、洗濯機１０による風呂水の給水動作の一例について説明する。即ち、図４に示すように、洗濯機１０は、風呂水の給水動作を開始すると、まず、給水弁１３をオンして風呂水ポンプ１４に呼び水を供給する（Ａ１）。そして、洗濯機１０は、風呂水ポンプ１４をオンする（Ａ２）。洗濯機１０は、風呂水ポンプ１４をオンすると、図示しないタイマ回路により、風呂水ポンプ１４の駆動を開始してからの経過時間を計時する。そして、洗濯機１０は、風呂水ポンプ１４の駆動開始からの経過時間が所定時間に到達すると（Ａ３：ＹＥＳ）、紫外線照射ユニット１００の駆動を開始する（Ａ４）。つまり、洗濯機１０は、紫外線ランプ１０３をオンする。
【００２０】
これにより、風呂水ポンプ１４により吸水される風呂水は、紫外線照射ユニット１００において紫外線が照射された上で水槽１２内に供給されるようになる。そして、洗濯機１０は、後続の洗い行程に移行する（Ａ５）。なお、ステップＡ３における所定時間は、適宜調整して設定することができるが、好ましくは、風呂水ポンプ１４の駆動を開始してから風呂水が風呂水ポンプ１４に到達するまでに要する時間として一般的に想定される時間を設定するとよい。また、例えば洗濯機１０の機種や風呂水ポンプ１４の性能などに起因して、想定される時間が複数となる場合には、それら複数の想定時間のうち最も短い時間を所定時間として設定するとよい。
【００２１】
本実施形態に係る洗濯機１０によれば、吸水ホース１９と風呂水ポンプ１４との間に設けられる紫外線照射ユニット１００は、洗濯機本体１１に着脱可能である。即ち、本実施形態によれば、風呂水を浄水化するための紫外線照射ユニット１００を、洗濯機１０の近傍の床面に設置するのではなく、洗濯機本体１１に直接的に取り付ける構成とした。従って、洗濯機１０の近傍の床面に紫外線照射ユニット１００の設置スペースを確保する必要がなく、紫外線照射ユニット１００を備えるために必要なスペースを極力抑えることができる。
【００２２】
また、本実施形態によれば、洗濯機本体１１内の電源ユニット３１から紫外線照射ユニット１００に電力を供給する構成である。即ち、洗濯機本体１１内に備えられている既設の電源ユニット３１により紫外線照射ユニット１００に電力を供給する構成としたので、紫外線照射ユニット１００のための専用の電源ユニットを設ける必要がない。
また、本実施形態によれば、風呂水ポンプ１４の駆動と紫外線照射ユニット１００の駆動とを連動させるようにした。これにより、風呂水が吸水されているときに合わせて紫外線を照射することができ、紫外線の照射が無駄に行われてしまうことを回避することができる。
【００２３】
また、本実施形態によれば、風呂水ポンプ１４の駆動と紫外線照射ユニット１００の駆動とを連動させる連動制御として、風呂水ポンプ１４の駆動開始から所定時間経過後に紫外線照射ユニット１００の駆動を開始する制御を採用している。このように風呂水の吸水時間に基づいて連動制御を行うことで、紫外線照射ユニット１００の駆動を、より正確に風呂水ポンプ１４の駆動に合わせることができる。
【００２４】
（第２実施形態）
図５に例示するように、紫外線照射ユニット１００は、水検知センサ２０１を備える。水検知センサ２０１は、水検知手段の一例であり、紫外線照射ユニット１００の通水経路を流れる水を検知するものである。水検知センサ２０１としては、水を検知可能な構成であれば種々のセンサを採用することができる。例えば、水検知センサ２０１は、通水経路を流れる水の温度を検知するサーミスタで構成してもよいし、水が接触することで導通状態となる電極で構成してもよいし、水の流れを機械的に検知する流水計で構成してもよい。
【００２５】
次に、本実施形態による風呂水の給水動作の一例について説明する。即ち、図６に示すように、洗濯機１０は、風呂水の給水動作を開始すると、給水弁１３をオンして風呂水ポンプ１４に呼び水を供給し（Ｂ１）、続いて、風呂水ポンプ１４をオンする（Ｂ２）。洗濯機１０は、風呂水ポンプ１４をオンすると、水検知センサ２０１により水が検知されたか否かを監視する（Ｂ３）。そして、洗濯機１０は、予め設定されている水検知期間内に水検知センサ２０１により水が検知されると（Ｂ３：ＹＥＳ）、紫外線照射ユニット１００の駆動を開始する（Ｂ４）。そして、洗濯機１０は、後続の洗い行程に移行する（Ｂ５）。なお、水検知期間は、適宜調整して設定することができる。また、洗濯機１０は、水検知期間内に水検知センサ２０１により水が検知されない場合には（Ｂ３：ＮＯ）、風呂水ポンプ１４をオフして、給水弁１３からの給水に切り換える（Ｂ６）。これにより、風呂水ポンプ１４による風呂水の供給が不調である場合には、水源を水道水に切り換えて洗濯運転を続行することができる。
【００２６】
本実施形態によれば、風呂水ポンプ１４の駆動と紫外線照射ユニット１００の駆動とを連動させる連動制御として、風呂水ポンプ１４の駆動開始後において水検知センサ２０１により水が検知されることに基づいて紫外線照射ユニット１００の駆動を開始する制御を採用している。このように紫外線照射ユニット１００に水が存在するか否かに基づいて連動制御を行うことで、紫外線照射ユニット１００の駆動を、より正確に風呂水ポンプ１４の駆動に合わせることができる。
【００２７】
（第３実施形態）
図７に例示するように、洗濯機１０は、水位センサ３０１を備える。水位センサ３０１は、水位検知手段の一例であり、水槽１２内の水の水位を検知する。水位センサ３０１は、例えばエアトラップと圧力センサとを備える周知の構成であり、水槽１２内の水位に応じて変動するエアトラップ内の圧力の変化に基づいて水位を検知するものである。なお、水位センサ３０１の構成は、水槽１２内の水の水位を検知できるものであれば、種々の構成を採用することができる。
【００２８】
次に、本実施形態による風呂水の給水動作の一例について説明する。即ち、図８に示すように、洗濯機１０は、風呂水の給水動作を開始すると、給水弁１３をオンして風呂水ポンプ１４に呼び水を供給し（Ｃ１）、続いて、風呂水ポンプ１４をオンする（Ｃ２）。洗濯機１０は、風呂水ポンプ１４をオンすると、水位センサ３０１により所定水位が検知されたか否かを監視する（Ｃ３）。そして、洗濯機１０は、予め設定されている水位検知期間内に水位センサ３０１により所定水位が検知されると（Ｃ３：ＹＥＳ）、紫外線照射ユニット１００の駆動を開始する（Ｃ４）。そして、洗濯機１０は、後続の洗い行程に移行する（Ｃ５）。
【００２９】
なお、所定水位は、適宜調整して設定することができるが、この場合、洗濯機１０において設定可能な複数の水位のうち最低レベルの水位が設定されている。また、水位検知期間は、適宜調整して設定することができるが、この場合、風呂水ポンプ１４の駆動を開始してから水槽１２内に最低レベルの水位の水が貯められるまでに要する期間として一般的に想定される期間を設定するとよい。また、例えば洗濯機１０の機種や風呂水ポンプ１４の性能などに起因して、想定される期間が複数となる場合には、それら複数の想定期間のうち最も短い期間を所定の水位検知期間として設定するとよい。
【００３０】
洗濯機１０は、水位検知期間内に水位センサ３０１により所定水位が検知されない場合には（Ｃ３：ＮＯ）、風呂水ポンプ１４をオフして、給水弁１３からの給水に切り換える（Ｃ６）。これにより、風呂水ポンプ１４による風呂水の供給が不調である場合には、水源を水道水に切り換えて洗濯運転を続行することができる。
【００３１】
本実施形態によれば、風呂水ポンプ１４の駆動と紫外線照射ユニット１００の駆動とを連動させる連動制御として、風呂水ポンプ１４の駆動開始後において水位センサ３０１により所定水位が検知されることに基づいて紫外線照射ユニット１００の駆動を開始する制御を採用している。このように水槽１２内に所定量の水が供給されたか否かに基づいて連動制御を行うことで、紫外線照射ユニット１００の駆動を、より正確に風呂水ポンプ１４の駆動に合わせることができる。
【００３２】
（第４実施形態）
図９および図１０に例示するように、紫外線照射ユニット１００は、その下部に、下方に突出する突出部４０１を備える。この突出部４０１は、洗濯機本体１１内の電源ユニット３１から紫外線照射ユニット１００に電力を供給するための電源コネクタ、および、洗濯機本体１１内の制御装置２１と紫外線照射ユニット１００との間で各種の通信を行うための通信コネクタを兼用するものである。
【００３３】
即ち、この突出部４０１は、その先端部に端子４０１ａを有する。一方、洗濯機本体１１のバックカバー１７には、突出部４０１に対応する挿入穴１７ｃが設けられている。この挿入穴１７ｃの底部には、洗濯機本体１１内の電源ユニット３１および制御装置２１に接続された端子１７ｄが設けられている。紫外線照射ユニット１００が洗濯機本体１１に取り付けられる際には、突出部４０１が挿入穴１７ｃに挿入される。そして、突出部４０１の端子４０１ａが挿入穴１７ｃ内の端子１７ｄに接続される。これにより、紫外線照射ユニット１００が電源ユニット３１および制御装置２１にそれぞれ電気的に接続され、電源ユニット３１から紫外線照射ユニット１００への電源の供給、および、紫外線照射ユニット１００と制御装置２１との間の各種の通信が可能な状態となる。
【００３４】
なお、突出部４０１の端子４０１ａと挿入穴１７ｃ内の端子１７ｄとの接続部分は、図示しないパッキン構造により保護されており、水や埃などの異物の侵入が回避されるようになっている。また、図１０に示すように、紫外線照射ユニット１００には、突出部４０１の端子４０１ａと挿入穴１７ｃ内の端子１７ｄとの接続を解除して、紫外線照射ユニット１００を洗濯機本体１１から取り外し可能な状態にするための取り外しボタン４０２が設けられている。この場合、取り外しボタン４０２は、紫外線照射ユニット１００の側面に設けられており、使用者により操作されるようになっている。なお、紫外線照射ユニット１００を洗濯機本体１１に取り付けない場合には、挿入穴１７ｃを蓋部材４０３により塞ぐことが可能である。この蓋部材４０３は、要するに紫外線照射ユニット１００の非装着時に挿入穴１７ｃを塞ぐものであればよく、例えば、挿入穴１７ｃの入口に着脱可能に係止する蓋状の部材で構成してもよいし、粘着剤が塗布されたシールなどで構成してもよい。
【００３５】
本実施形態によれば、紫外線照射ユニット１００を洗濯機本体１１に取り付けることに伴い、電源ユニット３１と紫外線照射ユニット１００との間の電源ラインと制御装置２１と紫外線照射ユニット１００との間の通信ラインを確実に確立することができる。また、これら電源ラインや通信ラインは、外部に露出することなく洗濯機本体１１内に確立される。そのため、電源ラインや通信ラインが意図せず断電されてしまうことを回避することができる。
【００３６】
（その他の実施形態）
本実施形態は、上述した複数の実施形態に限定されるものではなく、例えば次のように変形または拡張することができる。
洗濯機本体１１内の電源ユニット３１から紫外線照射ユニット１００への電力の供給は、有線給電に限られるものではなく、いわゆる無線給電により行う構成としてもよい。即ち、洗濯機本体１１内および紫外線照射ユニット１００内に電力送受電用のコイルを設けて、これらコイル間で給電を行う構成としてもよい。また、洗濯機本体１１内の制御装置２１と紫外線照射ユニット１００との間の各種の通信は、有線通信に限られるものではなく、無線通信により行う構成としてもよい。
【００３７】
また、本実施形態は、水槽１２および回転槽の軸方向が横向きであるいわゆる横軸型のドラム式洗濯機にも適用することができる。
本実施形態に係る洗濯機は、洗濯機本体と、風呂水ポンプと、紫外線照射ユニットと、を備える。風呂水ポンプは、洗濯機本体に設けられ、吸水ホースを通して風呂水を吸水する。紫外線照射ユニットは、吸水ホースと風呂水ポンプとの間に設けられ、風呂水ポンプにより吸い込まれる風呂水に紫外線を照射する。そして、紫外線照射ユニットは、洗濯機本体に着脱可能である。この構成によれば、風呂水を浄水化するためのユニットを備えるために必要なスペースを極力抑えることができる。
【００３８】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
図面中、１０は洗濯機、１１は洗濯機本体、１２は水槽、１４は風呂水ポンプ、１９は吸水ホース、２２は連動制御部（連動制御手段）、３１は電源ユニット（電力供給部）、１００は紫外線照射ユニット、２０１は水検知センサ（水検知手段）、３０１は水位センサ（水位検知手段）を示す。
【図１】
2016073533.tif 000003
【図２】
2016073533.tif 000004
【図３】
2016073533.tif 000005
【図４】
2016073533.tif 000006
【図５】
2016073533.tif 000007
【図６】
2016073533.tif 000008
【図７】
2016073533.tif 000009
【図８】
2016073533.tif 000010
【図９】
2016073533.tif 000011
【図１０】
2016073533.tif 000012